(57)【要約】  本発明は、静音、安全、高速、多目的であり、整備しやすいリフティング機構を提案する。このため、本機構は、固定セグメント（１１）と、固定セグメントの内側を摺動するように取り付けられた第１伸縮セグメント（１２）とを含む伸縮式支柱；規定の幅を有し、歯（１３１）を設けられ、第１伸縮セグメントに取り付けられたラック（１３）、ギヤシステムであって、ラックと直接噛み合うピニオン（２１）と、ピニオンと噛み合いかつ制御ホイールに取り付けられた制御シャフト（２２）とを含むギヤシステム、制御シャフト用の可逆的ロック手段であって、使用者による作用のない限り制御シャフトの回転をロックするように設計された可逆的ロック手段、を含む。
2018503576.tif 000002
【特許請求の範囲】
【請求項１】
リフティング機構（１００）であって、使用位置に関連して、
固定セグメント（１１）と、前記固定セグメント（１１）の内側を摺動するように取り付けられた第１伸縮セグメント（１２）とを含む伸縮式支柱（１０）、
規定の幅（Ｌｃ）を有し、歯（１３１）を設けられ、前記第１伸縮セグメントに固定されたラック（１３）、
ギヤシステム（２０）であって、前記ラック（１３）と直接係合するピニオン（２１）、前記ピニオン（２１）と係合しかつ制御ホイール（２３）に固定された制御シャフト（２２、２２ａ−２２ｂ）、
を含むギヤシステム（２０）、
前記制御シャフトを可逆的にロックするための手段（５０）であって、使用者のその部分に対する作用のない限り前記制御シャフトの回転を防止するように設けられた手段（５０）、
を含むリフティング機構（１００）。
【請求項２】
前記ラック（１３）が、前記ラックの前記歯（１３１）が前記第１伸縮セグメント（１１）に対して垂直であるように前記第１伸縮セグメント（１１）に固定される、請求項１に記載の機構。
【請求項３】
前記制御シャフト（２２、２２ａ−２２ｂ）が、リダクションシステム（２４）によって前記ピニオン（２１）と間接的に係合され、前記リダクションシステム（２４）は前記ピニオン（２１）が前記制御シャフト（２２、２２ａ−２２ｂ）よりも速い速度で回転するように配置される、請求項１または２に記載の機構。
【請求項４】
前記可逆的ロック手段は、前記制御シャフトが回転することを防止するために配置された手動で作動可能なレバーブレーキである、請求項１〜３のいずれか一項に記載の機構。
【請求項５】
前記レバーブレーキ（５０）が、
前記制御シャフトに対して回転するように取り付けられたレバー（５１）であって、グリップエンド（５１ａ）、回転軸（５２）に固定するための部分（５１ｂ）、および当接端部（５１ｃ）を含むレバー（５１）、
ブレーキライニング（５４）を設けられ、かつ前記制御シャフト（２２、２２ａ−２２ｂ）の周囲に配置された柔軟性ループ（５３）であって、前記ループの第１端部（５３ａ）が前記レバーに固定され、前記ループの第２端部（５３ｂ）が前記レバーに調整可能な方法で固定されている柔軟性ループ（５３）、
前記レバーの前記当接端部に当接する復元手段（５６）であって、使用者のその部分に対する作用のない限り前記ループが前記制御シャフトの周囲で張られるように前記レバーの回転を制限する復元手段（５６）、
を含む、請求項４に記載の機構。
【請求項６】
前記ループの前記第２端部が、前記レバー上をおよび前記レバーに対して摺動するように取り付けられかつ調整可能な方法で前記レバー上に保持される部分（５５）の上に固定される、請求項５に記載の機構。
【請求項７】
前記レバーブレーキが、
前記制御シャフトに対して回転するように取り付けられたレバーであって、グリップエンド、回転軸に固定するための部分、および当接端部を含むレバー、
前記制御シャフトと一体であるドーム部分であって、その内側に、カムによって前記レバーに接続されたシールを設けられた少なくとも２つのジョーが可動式に取り付けられているドーム部分、
前記レバーの前記当接端部に対して当接する復元手段であって、使用者のその部分に対する作用のない限り前記２つのジョーが前記ドーム部分に対して擦れるように前記レバーの回転を制限する復元手段、
を含む、請求項４に記載の機構。
【請求項８】
前記レバーブレーキが、
前記制御シャフトに対して回転するように取り付けられたレバーであって、グリップエンド、回転軸に対して固定される部分、および当接端部を含むレバー、
前記制御シャフトと一体のディスクであって、その両側に、カムによって前記レバーに接続されたブレーキパッドを設けられた２つのジョーが回転可能に取り付けられたディスク、
前記レバーの前記当接端部に対して当接する復元手段であって、使用者のその部分に対する作用のない限り前記２つのジョーが前記ディスクに対して擦れるように前記レバーの回転を制限する復元手段、
を含む、請求項４に記載の機構。
【請求項９】
前記第１伸縮セグメントの内側を摺動するように取り付けられた第２伸縮セグメント（１４）をさらに含む、請求項１〜８のいずれか一項に記載の機構。
【請求項１０】
ａ）前記固定セグメント（１１）が矩形の断面を有し、
ｂ）前記第１伸縮セグメント（１２）が正方形の断面を有し、
ｃ）前記第２伸縮セグメント（１４）が円形の断面を有する、
請求項９に記載の機構。
【請求項１１】
前記第２伸縮セグメント（１４）が、前記第１伸縮セグメント（１２）の内縁部未満またはそれに等しい外径（Ｄ２ｓ）を有し、および、
前記矩形の断面を有する前記固定セグメント（１１）が、
前記第１伸縮セグメントの外縁部を超えるかそれに等しい短い内側、および、
前記第１伸縮セグメントの外縁部（Ｌ１ｓｅ）プラス前記ラック（１３）の前記幅（Ｌｃ）を超えるかそれに等しい長い内側（Ｌｓｆ）を有する、
請求項１０に記載の機構。
【請求項１２】
少なくとも１本の引張ケーブル（３０）をさらに含み、その第１端部（３１）が前記固定セグメント（１１）に固定され、第２端部（３２）が使用位置に関連して前記第２伸縮セグメント（１４）の下端部に固定され、前記少なくとも１本の引張りケーブルが、使用位置に関連して前記第１伸縮セグメント（１２）の上端部に固定されたプーリ（４０）の周囲に係合される、請求項１０または１１に記載の機構。
【請求項１３】
前記円形の第２伸縮セグメント（１４）が下端部を含み、前記下端部は切欠きを設けられ、かつ前記第１伸縮セグメント（１２）の内側断面未満またはそれに等しい正方形の断面を有するプロファイルにはんだ付けされ、前記プロファイルには前記引張ケーブル（３０）用の保持フックが設けられる、請求項１２に記載の機構。
【請求項１４】
前記制御ホイール（２３）がクランク（２３１）を含み、前記クランク（２３１）は、前記クランクが前記ホイールと平行である後退位置と、前記クランクが前記ホイールの面に対して垂直である作動位置との間で回転するように取り付けられる、請求項１〜１３のいずれか一項に記載の機構。
【請求項１５】
前記制御シャフトが前記ホイールを通過し、および、持ち運び式電動ねじ回し機によって支持される相補型コネクタに固定するためのコネクタ（２３２）を設けられた端部を有する、請求項１〜１４のいずれか一項に記載の機構。
【請求項１６】
前記制御シャフトが一方向ローラ（６０）によって前記制御ホイールに固定される、請求項１５に記載の機構。
【請求項１７】
前記ラック（１３）を前記ピニオン（２１）に押し付けるための手段（１３２）をさらに含む、請求項１〜１４のいずれか一項に記載の機構。
【請求項１８】
建築用プレートをリフティングするためのリフティング装置であって、
請求項１〜１７のいずれか一項に記載の機構、
前記機構の前記支柱の第１端部に固定された回転式脚部、
前記支柱の別の端部で回転するように取り付けられたプレート支持体、
を含むことを特徴とするリフティング装置。
【請求項１９】
請求項１８に記載のリフティング装置を使用するための方法であって、以下のステップ、
ａ１）請求項１８に記載の装置を用意し、
ｂ１）プレートを前記プレート支持体の上に置き、そして、前記プレートに適合された位置に前記装置を位置付け、
ｃ１）前記制御シャフトの回転をロック解除するために前記制御シャフトの前記可逆性ロック手段を作動し、
ｄ１）前記伸縮式支柱が配備され前記プレートが固着位置に置かれるまで前記制御ホイールを回転させ、
ｅ１）前記制御シャフトの回転を防止するために前記ロック手段を解放し、
ｆ１）前記プレートを固着させ、
ｇ１）徐々におよび制御された方法で前記制御シャフトの回転をロック解除し前記支柱が重力によって下がることを許容するために、前記制御シャフトの前記可逆性ロック手段を徐々に作動すること、
を含むことを特徴とする方法。
【請求項２０】
請求項１５に記載の機構が設けられた請求項１８に記載のリフティング装置を使用するための方法であって、以下のステップ、
ａ２）請求項１６に記載の機構を設けられた請求項１８に記載の装置を用意し、
ｂ２）プレートを前記プレート支持体の上に置き、そして、前記プレートに適合された位置に前記装置を位置付け、
ｃ２）前記制御シャフトの前記端部によって支持される前記コネクタと相補的なコネクタを設けられた持ち運び式電動ねじ回し機を位置付け、
ｄ２）前記制御シャフトの回転をロック解除するために前記制御シャフトの前記可逆性ロック手段を作動し、
ｅ２）前記伸縮式支柱が配備され前記プレートが固着位置に置かれるまで前記持ち運び式電動ねじ回し機を作動し、
ｆ２）前記制御シャフトの回転を防止するために前記ロック手段を解放し、
ｇ２）前記プレートを固着させ、
ｈ２）徐々におよび制御された方法で前記制御シャフトの回転をロック解除し前記支柱が重力によって下がることを許容するために、前記制御シャフトの前記可逆性ロック手段を徐々に作動すること、
を含むことを特徴とする方法。
【発明の詳細な説明】
【技術分野】
【０００１】
本発明は、建築用プレートをリフティングするための装置のリフティング機構に、そのような機構を含む建築用プレートをリフティングするための装置に、およびそのような装置を用いて建築用プレートをリフティングするための方法に関する。
【０００２】
特に、本発明は、屋根形天井を実現するために、または傾斜した天井の配置もしくは間仕切りのために、材料プレート（プラスチックボード、木材パネル等）などの重い物体を取り扱いかつ位置付けるための作業の間に使用されるリフティングおよび取扱い装置に関する。
【背景技術】
【０００３】
プレートリフト装置と呼ばれる前記の種類の装置は、例えば文献ＦＲ２５３８４３７号明細書に既に記載されている。
【０００４】
プレートリフト装置の一般的な構造は以下の通りである。リフティング機構によって制御可能でありかつ回転式脚部に取り付けられた伸縮式支柱、プレート支持体が、回転機構によって支柱の端部に回転可能に取り付けられている。
【０００５】
伸縮式支柱は、第１固定要素と、この固定要素に対して可動である少なくとも１つの伸縮式要素とを含む。一般に、支柱は２つの可動伸縮式要素を含む。
【０００６】
２つの種類のリフティング機構がある。
【０００７】
文献ＦＲ第２５３８４３７号明細書に示される最も普及しているものは、ウィンチと、いくつかのアイドラプーリと、プーリを通過しおよび支柱の伸縮要素を通過するウィンチに接続されたケーブルとを含む引張システムである。
【０００８】
そのような機構の安全性を改善するように、引張（リフティング）ケーブルに、および（引張ケーブルが破断した場合に備えて）安全ケーブルに接続された、二重ラチェットウィンチの実現が提案されてきた。そのような装置は、文献ＦＲ第２７５８１５０号明細書に記載されている。しかしながら、前記機構はかなり騒音を出し、８７ｄＢである（ウィンチから３０ｃｍの所でおよび３１ｄＢの周囲ノイズでｉＰｈｏｎｅ（登録商標）のアプリ“Ｄｅｃｉｂｅｌ  Ｕｌｔｒａ”（登録商標）を用いて測定）。さらに、使用される金属ケーブルは非常に早く摩耗し、破断または擦り切れる可能性があり、使用者に怪我を負わせる危険がある。
【０００９】
さらに、この機構はアクセス可能なので、使用者が指を捕捉される危険性は非常に現実的である。最後に、支柱の伸縮要素は、支柱が上昇または下降されているときにケーブルが容易に通過できるように開放されたプロファイルを有する必要がある。そのような構造は、支柱の機械的強度を弱める。
【００１０】
リフティング機構の第２の種類は、支柱の伸縮要素の１つと係合するエンドレスねじ電動化機構である。前記装置は文献ＥＰ第０９６９１６５号明細書に記載されている。このプレートリフト装置はモータを含み、そのシャフトはアイドラプーリアセンブリによってエンドレスねじに結合される。
【００１１】
エンドレスねじは支柱の内側に同軸に配置され、伸縮式支柱の内側で案内される。
【００１２】
エンドレスねじは、伸縮式支柱の第１可動要素と一体であるベアリングナットと係合する。第２可動要素は、第１可動要素が上昇するときに張るケーブルによって上昇される。
【００１３】
このため、第２可動要素は、開放されたプロファイルによって形成され、ケーブルが自由に通過できるようにリフティングの間案内されるように第１可動要素と相補的な形状を有する。
【００１４】
リフティングおよび下降は、もっぱらモータによって制御される。従ってパワーがモータに供給されない場合、支柱を再び下降させることは不可能である。
【００１５】
さらに、そのようなプレートリフト装置は非常に重い重量を有し、また、支柱に比して離れた固定モータのみならず、動力源、ほとんどの場合バッテリも含むので、大量の空間を占有する。
【００１６】
加えて、支柱の伸縮要素の寸法決めは、プレートリフト装置が、特に支柱が（プレートリフト装置の一番高い位置に）配備されているときに、良好な安静性を有することを保証するように、可能な限り適切な方法で実行されなければならない。従って摩擦は高く、多量のパワーの入力を必要とする。さらに、多量の摩耗および断裂がある。
【発明の概要】
【発明が解決しようとする課題】
【００１７】
それゆえ本発明は、プレートリフト装置に有利であり、静音、安全（すなわち使用者に危害が及ぶ危険性を回避する）、高速であり、融通が利き（すなわちモータによってまたは手動で作動可能である）、かつメンテナンスが容易であるリフティング機構を提案することを目指す。
【課題を解決するための手段】
【００１８】
このため本発明の目的は、使用位置に関連して、
固定セグメントと、固定セグメントの内側を摺動するように取り付けられた第１伸縮セグメントとを含む伸縮式支柱、
規定の幅を有し、歯を設けられ、第１伸縮セグメントに固定されるラック、
ギヤシステムであって、ラックと直接係合するピニオン、ピニオンと係合しかつ制御ホイールに固定される制御シャフト、
を含むギヤシステム、
制御シャフトを可逆的にロックするための手段であって、使用者のその部分に対する作用のない限り制御シャフトの回転を防止するように設けられた手段、
を含むリフティング器具用のリフティング機構である。
【００１９】
他の実施形態によれば、
ラックはラックの歯が第１伸縮セグメントに対して垂直であるように第１伸縮セグメントに固定可能であり、
制御シャフトは、リダクションシステム（ｒｅｄｕｃｔｉｏｎ  ｓｙｓｔｅｍ）によってピニオンと間接的に係合可能であり、リダクションシステムはピニオンが制御シャフトよりも速い速度で回転するように配置され、
可逆的ロック手段は、制御シャフトが回転することを防止するために配置された手動で作動可能なレバーブレーキであることができ、
レバーブレーキは、
制御シャフトに対して回転するように取り付けられたレバーであって、グリップエンド、回転軸に固定するための部分、および当接端部を含むレバー、
ブレーキライニングを設けられ、かつ制御シャフトの周囲に配置された柔軟性ループであって、ループの第１端部はレバーの回転軸に対して中心を外れてレバーに固定され、ループの第２端部はレバーに調整可能な方法で固定されている柔軟性ループ、
レバーの当接端部に当接する復元手段であって、使用者のその部分に対する作用のない限りループが制御シャフトの周囲で張られるようにレバーの回転を制限する復元手段、
を含むことができ、
ループの第２端部は、レバー上をおよびレバーに対して摺動するように取り付けられかつ調整可能な方法でレバー上に保持される部分の上に固定可能であり、
レバーブレーキは、
制御シャフトに対して回転するように取り付けられたレバーであって、グリップエンド、回転軸に固定するための部分、および当接端部を含むレバー、
制御シャフトと一体であるドーム部分であって、その内側に、カムによってレバーに接続されたシールを設けられた少なくとも２つのジョーが可動式に取り付けられているドーム部分、
レバーの当接端部に対して当接する復元手段であって、使用者のその部分に対する作用のない限り２つのジョーがドーム部分に対して擦れるようにレバーの回転を制限する復元手段、
を含むことができ、
レバーブレーキは、
制御シャフトに対して回転するように取り付けられたレバーであって、グリップエンド、回転軸に対して固定される部分、および当接端部を含むレバー、
制御シャフトと一体のディスクであって、その両側に、カムによってレバーに接続されたブレーキパッドを設けられた２つのジョーが回転可能に取り付けられたディスク、
レバーの当接端部に対して当接する復元手段であって、使用者のその部分に対する作用のない限り２つのジョーがディスクに対して擦れるようにレバーの回転を制限する復元手段、
を含むことができ、
機構はさらに、第１伸縮セグメントの内側を摺動するように取り付けられた第２伸縮セグメントを含むことができ、
固定セグメントは矩形の断面を有することができ、第１伸縮セグメントは正方形の断面を有することができ、第２伸縮セグメントは円形の断面を有することができ、
第２伸縮セグメントは、第１伸縮セグメントの内縁部未満またはそれに等しい外径を有することができ、矩形の断面を有する固定セグメントは、
第１伸縮セグメントの外縁部を超えるかそれに等しい短い内側、および、
第１伸縮セグメントの外縁部プラスラックの幅を超えるかそれに等しい長い内側、
を有することができ、
機構はさらに、少なくとも１本の引張ケーブルを含むことができ、その第１端部は固定セグメントに固定され、第２端部は使用位置に関連して第２伸縮セグメントの下端部に固定され、前記少なくとも１本のケーブルは、使用位置に関連して第１伸縮セグメントの上端部に固定されたプーリの周囲に係合され、
円形の第２伸縮セグメントは下端部を含むことができ、下端部は切欠きを設けられ、かつ第１伸縮セグメントの内側の断面未満またはそれに等しい正方形の断面を有するプロファイルにはんだ付けされ、プロファイルには引張ケーブル用の保持フックが設けられ、
制御ホイールはクランクを含み、クランクは、クランクがホイールと平行である後退位置と、クランクがホイールの面に対して垂直である作動位置との間で回転するように取り付けられ、
制御シャフトはホイールを通過し、および、持ち運び式電動ねじ回し機によって支持される相補型コネクタに固定するためのコネクタを設けられた端部を有し、
制御シャフトは一方向ローラによって制御ホイールに固定され、および／または、
機構はさらに、ラックをピニオンに押し付けるための手段を含むことができる。
【００２０】
本発明の別の目的はまた、建築用プレートをリフティングするためのリフティング装置であり、前記リフティング装置は、
上に記載したリフティング機構、
前記機構の支柱の第１端部に固定された回転式脚部、
支柱の別の端部で回転するように取り付けられたプレート支持体、
を含むことを特徴とする。
【００２１】
本発明の別の目的はまた、上に記載したリフティング装置を使用するための方法であり、前記方法は以下のステップを含む。
ａ１）上に記載したリフティング装置を用意し、
ｂ１）プレートをプレート支持体の上に置き、そして、プレートに適合された位置に装置を位置付け、
ｃ１）制御シャフトの回転をロック解除するために制御シャフトの可逆性ロック手段を作動し、
ｄ１）伸縮式支柱が配備されプレートが固着位置に置かれるまで制御ホイールを回転させ、
ｅ１）制御シャフトの回転を防止するためにロック手段を解放し、
ｆ１）プレートを固着させ、
ｇ１）徐々におよび制御された方法で制御シャフトの回転をロック解除し支柱が重力によって下がることを許容するために、制御シャフトの可逆性ロック手段を徐々に作動する。
【００２２】
本発明の別の目的はまた、上に記載したリフティング装置を使用するための方法であり、前記方法は以下のステップを含む。
ａ２）上に記載した機構を設けられた上に記載したリフティング装置を用意し、機構の制御シャフトはホイールを通過し、持ち運び式電動ねじ回し機によって支持される相補的コネクタに固定するためのコネクタを設けられた端部を有し、
ｂ２）プレートをプレート支持体の上に置き、そして、プレートに適合された位置に装置を位置付け、
ｃ２）制御シャフトの端部によって支持されるコネクタと相補的なコネクタを設けられた持ち運び式電動ねじ回し機を位置付け、
ｄ２）制御シャフトの回転をロック解除するために制御シャフトの可逆性ロック手段を作動し、
ｅ２）伸縮式支柱が配備されプレートが固着位置に置かれるまで持ち運び式電動ねじ回し機を作動し、
ｆ２）制御シャフトの回転を防止するためにロック手段を解放し、
ｇ２）プレートを固着させ、
ｈ２）徐々におよび制御された方法で制御シャフトの回転をロック解除し支柱が重力によって下がることを許容するために、制御シャフトの可逆性ロック手段を徐々に作動する。
【００２３】
本発明の他の特徴は、以下、添付図面を参照して記載される詳細な説明の中で要約される。
【図面の簡単な説明】
【００２４】
【図１】本発明によるリフティング機構の第１実施形態を設けられたプレートリフト装置の概略図を斜視的に示す。
【図２】図１のリフティング機構の概略図を部分斜視的に示す。
【図３】図２の機構の上から見た概略上面図を示す。
【図４】本発明による機構の第２実施形態の上から見た概略上面図を示す。
【図５】本発明によるリフティング機構の第３実施形態を設けられたプレートリフト装置の概略図を斜視的に示す。
【図６】線ＶＩ−ＶＩに従う図５の機構の断面の部分的に分解された概略図を示す。
【図７】本発明によるリフティング機構の第３実施形態に取付け可能なブレーキの実施形態の概略上面図を示す。
【図８】ラックを機構に押し付けるための手段を設けられた、図３の機構の上から見た概略上面図を示す。
【図９−１０】本発明によるリフティング機構の支柱の有利な実施形態の概略図を部分斜視的に示す。
【発明を実施するための形態】
【００２５】
図１は、本発明によるリフティング機構を装備されたプレートリフト装置を使用位置で示す。プレートリフト装置１は、回転式脚部２００が固定されたリフティング機構１００と、プレート支持体３００とを含む。
【００２６】
リフティング機構１００は、固定セグメント１１と、固定セグメント１１の内側を摺動するように取り付けられた第１伸縮セグメント１２とを含む伸縮式支柱１０を含む。直線ラック１３が第１伸縮セグメント１１に沿って固定されている。
【００２７】
ラック１３は、図２および３により詳細に示されるギヤシステムと係合する。図２に、理解しやすくするために支柱の各セグメントが透明性のある方法で示されている。
【００２８】
ギヤシステム２０は、ラック１３と直接係合するピニオン２１と、ピニオン２１と係合し、制御ホイール２３に固定された制御シャフト２２とを含む。制御シャフト２２は固定セグメント１１の壁を貫通している。
【００２９】
本発明によるリフティング機構はまた、制御シャフトを可逆的にロックするための手段を含み、この手段は、使用者のその部分に対する作用のない限り制御シャフト２２の回転を防止するように提供されている。換言すると、伸縮式支柱の伸長状況にかかわらず、使用者が制御ホイールを離すと支柱はその位置を保ち、重力によって再び下に下がることはない。
【００３０】
前記ロック手段は、図５〜７に関連してより詳細に記載する。
【００３１】
本発明によれば、および図２および３に詳細に示されるように、ラック１３は、ラック１３の歯１３１が第１伸縮セグメント１２に対して垂直であるように第１伸縮セグメント１２に固定される。
【００３２】
前記構成により、リフティング機構に、特にギヤシステムに必要な空間が最小化される。
【００３３】
図４は有利な実施形態を示す。この実施形態では制御シャフト２２はリダクションシステム２４によってピニオン２１と間接的に係合される。リダクションシステム２４はピニオン２１が制御シャフト２２よりも速く回転するように配置されている。
【００３４】
そのような機構により伸縮式支柱を素早くそして楽に上昇させることが可能になる。
【００３５】
前記リフティング機構は、ラチェットウィンチシステムと比べて極めて静音性であり、文献ＦＲ２７５８１５０号明細書に従うラチェットウィンチシステムが８７ｄＢを発生する一方で、４６ｄＢを発生するだけである（ウィンチから３０ｃｍの所でおよび３１ｄＢの周囲ノイズでｉＰｈｏｎｅ（登録商標）のアプリ“Ｄｅｃｉｂｅｌ  Ｕｌｔｒａ”（登録商標）を用いて測定）。
【００３６】
有利な態様で、本発明によるリフティング機構はさらに、第１伸縮セグメント１２の内側を摺動するように取り付けられた第２伸縮セグメント１４を含む。
【００３７】
本発明の好ましい実施形態によれば、固定セグメント１１は長方形の断面を有し、第１伸縮セグメント１２は正方形の断面を有し、第２伸縮セグメント１４は円形の断面を有する。
【００３８】
第２伸縮セグメント１４は、第１伸縮セグメント１２の内縁部未満またはそれに等しい外径Ｄ２ｓを有する。第２伸縮セグメント１４は従って第１伸縮セグメント１２との接触線を４本だけを有し、これにより摩擦（従って支柱を上昇するのに必要な労力）が最小化され、その一方で２つのセグメント間の正確な案内が保証される。
【００３９】
長方形の断面を有する固定セグメント１１は、第１伸縮セグメント１２の外縁部Ｌ１ｓを超えるかそれに等しい寸法を有する短い内側と、第１伸縮セグメントの外縁部Ｌ１ｓプラスラック１３の幅Ｌｃを超えるかそれに等しい寸法Ｌｓｆを有する長い内側とを有する。
【００４０】
本発明によるリフティング機構は、従って、摩擦を最小化する正確な案内を可能にするだけでなく、必要な空間を最小化する、というのも、ピニオン２１およびラック１３が支柱１０の固定セグメント１１の内側に収容されるからである。
【００４１】
第２伸縮セグメント１４を上昇することを可能にするように、本発明による機構は引張ケーブル３０を含み、その第１端部３１は固定セグメント１１に固定され、第２端部３２は第２伸縮セグメント１４の下端部に固定される。
【００４２】
ケーブル３０は、第１伸縮セグメント１２の上端部に固定されたアイドラプーリ４０の周囲に係合される。
【００４３】
従って、ホイール２３が制御シャフト２２の周囲を回転するとき、第１伸縮セグメントは、ピニオン２１およびラック１３によって上方へ上昇される。第１伸縮セグメント１２に固定されたプーリ４０は、同時に上へ移動する。それに応じてケーブル３０は張られ、第２伸縮セグメント１４は上に移動する。
【００４４】
第２伸縮セグメント１４が円形の断面を有し第１伸縮セグメント１２が正方形の断面を有するという事実により、２つの伸縮セグメントの間で詰まる危険性のない状態でケーブル３０が延在できる空間を提供することが可能になる。
【００４５】
図９および１０はそのような構成を可能にする支柱の実施形態を示す。
【００４６】
前記実施形態において、円形の断面を有する第２伸縮セグメント１４は、切欠き１４ｂを設けられかつ第１伸縮セグメント１２の内側断面未満またはそれに等しい正方形の断面を有するプロファイル１５にはんだ付けされた下端部１４ａを含む。引張ケーブル３０を取り付けることができるように、プロファイルの内側には、引張ケーブル３０用の保持フックが設けられている。
【００４７】
その結果、切欠き１４ｂを用いて、および第２伸縮セグメント１４の断面形状およびプロファイル１５の断面形状の差に対し、ケーブルは第２伸縮セグメント中に容易に固定可能である。
【００４８】
第１伸縮セグメント１２の内側断面未満またはそれに等しい正方形の断面を有するプロファイルの使用により、円形の断面を有する第２伸縮セグメント１４を、正方形の断面を有する第１伸縮セグメント１２の中を効果的な方法で案内することが可能になる。
【００４９】
好ましい方法において、切欠き１４ｂを設けられた下端部１４ａは、切欠きがプロファイル１５の隅部を覆うように、正方形の断面を有するプロファイル１５にはんだ付けされ、これによりケーブル３０が２つの伸縮セグメント１４および１２の間で押しつぶされないように適切な経路をケーブル３０に残すことが可能になる。
【００５０】
前記の構成によって、先行技術のように、伸縮セグメントを作るために開放されたプロファイルを使用することは必ずしも必要なく、その結果、本発明によるリフティング機構で使用されるセグメントは、構造的により頑丈であり、他の全ては等価である。
【００５１】
さらに、運動力学は非常に迅速である、というのも、本発明によるリフティング機構では、第１伸縮セグメントが固定セグメントの外側で上昇され第２伸縮セグメントが第１伸縮セグメントの外側で上昇される間、中間セグメントおよび内側セグメントが同時に上昇されるからである。
【００５２】
リフティング機構の作動を容易にするために、制御ホイール２３にクランク２３１が設けられ、クランク２３１は好ましい態様において制御ホイールに回転可能に取り付けられる。従って、クランク２３１は、制御ホイール２３の面に対して垂直である作動位置（図２参照）と、クランクがホイールと平行である後退位置とを有する。前記後退位置において、支柱が重力により再び下降するときにクランク２３１が使用者に怪我を与える可能性は低い。
【００５３】
図５〜７は、制御シャフト２２を可逆的にロックするための手段をより正確に示す。
【００５４】
本発明によれば、前記可逆的ロック手段は、使用者のその部分に対する作用のない限り制御シャフトが回転することを防止するように設けられる。
【００５５】
好ましい実施形態によれば、可逆的ロック手段５０はレバーブレーキであり、このレバーブレーキは手動で作動可能であり、制御シャフトが回転することを防止するために配置される。
【００５６】
第１の実施形態によれば、レバーブレーキ５０は、図７を参照すると以下のものを含む。
制御シャフト２２に対して回転するように取り付けられたレバー５１であって、グリップエンド５１ａと、回転軸５２に対して固定するための部分５１ｂと、当接端部５１ｃとを含むレバー５１、
ブレーキライニング５４を設けられかつ制御シャフトの周囲に配置された柔軟性ループ５３であって、ループの第１端部５３ａはレバーの回転軸５２に対してオフセットされた状態でレバー５１に固定され、ループの第２端部５３ｂはレバーの回転軸５２に対しておよび第１端部５３ａに対してオフセットされた状態で固定される柔軟性ループ５３。示されていない好ましい実施形態によれば、第２端部５３ｂは、調整可能な方法でレバーに固定可能である。例えば、ループの第２端部は、レバー５１上をおよびそれに対して摺動するように取り付けられかつ調整ナットを用いて調整可能な方法でレバー上に保持される部分に固定可能である。
復元手段５６であって、レバーの当接端部５１ｃに対して当接した状態でありかつ使用者のその部分に対する作用のない限りループが制御シャフトの周囲で張られるようにレバーの回転を制限する復元手段５６。
【００５７】
ある実施形態によれば、上側摩擦表面にブレーキを提供するために、制御シャフト２２に固定されたクラウン２５が有利に提供される。
【００５８】
有利に、レバーはまた、使用者がブレーキを緩めすぎることを回避する調整可能なエンドストッパ５７を含む。
【００５９】
前記構成によって、特に復元手段５６によって、使用者は、伸縮式支柱を上昇させるために、制御シャフトをロック解除しおよび制御ホイールを回転可能にするべく、ブレーキを緩めることによってブレーキを作動しなければならない。使用者がブレーキから手を離すと、支柱は再び下降することができず、使用者の安全性が保証される。アームをバネ式弾性復元手段に結合することによって、何らかの操作のない限り、ブレーキの適用がこのようにして得られる。この結果、バネに対し力が及ばない限り、ブレーキは制御シャフトが回転することを防止する。
【００６０】
より正確には、本発明によるリフティング機構が設けられたリフティング装置を使用するために、使用者は、
ｂ１）プレートをプレート支持体の上に置き、そして、プレートに適合された位置に装置を位置付け、
ｃ１）制御シャフトの回転をロック解除するために制御シャフトの可逆性ブレーキを作動し、
ｄ１）伸縮式支柱が配備されプレートが固着位置に置かれるまで制御ホイールを回転させ、
ｅ１）制御シャフトの回転を防止するためにブレーキを解放し、
ｆ１）プレートを固着させ、
ｇ１）徐々におよび制御された方法で制御シャフトの回転をロック解除し支柱が重力によって下がることを許容するために、制御シャフトのブレーキを徐々に作動する。
【００６１】
示されていない別の実施形態によれば、レバーブレーキは以下のものを含む。
制御シャフトに対して回転するように取り付けられたレバーであって、グリップエンド、回転軸に対して固定される部分、および当接端部を含むレバー、
制御シャフトと一体であるドーム部分であって、その内側に、カムによってレバーに接続されたシールを設けられた少なくとも２つのジョーが可動式に取り付けられているドーム部分、
レバーの当接端部に対して当接する復元手段であって、使用者のその部分に対する作用のない限り２つのジョーがドーム部分に対して擦れるようにレバーの回転を制限する復元手段。
【００６２】
示されていない別の実施形態によれば、レバーブレーキは以下のものを含む。
制御シャフトに対して回転するように取り付けられたレバーであって、グリップエンド、回転軸に対して固定される部分、および当接端部を含むレバー、
制御シャフトと一体のディスクであって、その両側に、カムによってレバーに接続されたブレーキパッドを設けられた２つのジョーが回転可能に取り付けられたディスク、
レバーの当接端部に対して当接する復元手段であって、使用者のその部分に対する作用のない限り２つのジョーがディスクに対して擦れるようにレバーの回転を制限する復元手段。
【００６３】
図６に示されるような有利な態様において、制御シャフト２２は、２つの可動部分の中にあり、その一方２２ａは制御ホイール２３と一体であり、他方２２ｂはピニオンと（リダクションシステムを介して）直接または間接的な係合を持続する。これによりホイールを取り外してブレーキをメンテナンスすることが可能になる。
【００６４】
この代替策としてまたはこれと組み合わせて、制御シャフトはホイールを通過し、および端部を有し、端部は持ち運び式電動ねじ回し機によって支持される相補的コネクタに固定するためのコネクタ２３２が設けられる。このようにして、ねじ回し機によってリフティング機構を作動することが可能であり、これは、供給しなければならない労力を最小化する。
【００６５】
ねじ回し機の使用に特に適合された好ましい実施形態において、リダクションシステム２４は以下のものを含む。
制御シャフトと（または部分２２ｂと）一体であり、１３．５ｍｍの内半径（歯の基端）、１８ｍｍの外半径（歯の先端）および１６個の歯を有する第１ピニオン２４ａ、
第１ピニオン２４ａと係合し、４９．５ｍｍの内半径（歯の基端）、５４ｍｍの外半径（歯の先端）、および５２個の歯を有するスプロケット２４ｂ、
スプロケット２４ｂと一体であり、ラック１３と係合し、１３．５ｍｍの内半径（歯の基端）、１８ｍｍの外半径（歯の先端）および１６個の歯を有する第２同心ピニオン２４ｃ。
【００６６】
前記実施形態は特に有利である、というのも、手動モードの使用者もねじ回し機も疲労せず、その一方で先行技術のプレートリフト装置で一般に確認される速度を超える速度で支柱が確実に上昇されるためである。
【００６７】
従って、Ｒｏｇｅｒ  Ｍｏｎｄｅｌｉｎからの“ｌｅｖｐａｎｏ  Ｉ（登録商標）”モデルと“ｌｅｖｐａｎｏ  ＩＩ（登録商標）”モデルとの比較において、以下の結果が得られる。
【００６８】
【表１】
2018503576.tif 000003
【００６９】
パワーは、Ｋｅｒｎ  ｄｙｎａｍｏｍｅｔｅｒ、ＨＣＢモデルバージョン３．１  ７／２００６を用いて測定した。
【００７０】
併せて、特に興味深い本発明の実施形態によれば、制御シャフト２２（または部分２２ｂ）は、一方向ローラ６０によって制御ホイール２３に固定される（図２参照）。
【００７１】
前記種類のローラを用いると、制御シャフト２２（または部分２２ａ）が、持ち運び式電動ねじ回し機とかみ合わされる場合、制御シャフト２２は、ホイールを巻き込むことなく支柱をリフティングする方向に高速で回転することができる。
【００７２】
ねじ回し機は非常に頻繁に現場で使用され、その充電は非常に簡単である。
【００７３】
さらに、本発明による構成において、ねじ回し機は使用者の前方に配置され、これはブレーキおよびねじ回し機の両方を同時に制御するのに最適な位置を使用者に提供する。
【００７４】
支柱がプレートを固着させる位置に上昇されると、使用者はブレーキを解放し、その結果、制御シャフトの回転を防止し、そして、アセンブリ全体に必要な空間を最小化するためにねじ回し機を引く。
【００７５】
図８は本発明によるリフティング機構の実施形態を示し、この実施形態のリフティング機構はさらに、ラック１３をピニオン２１に押し付けるための手段１３２を含む。
【００７６】
図８において、前記押し付け手段はねじによって構成される。
【００７７】
そのような機構は、リフティング機構を調整するために、およびラックがピニオン２１と正確に係合されることを保証するために、有用である。
【図１】
2018503576.tif 000004
【図２】
2018503576.tif 000005
【図３】
2018503576.tif 000006
【図４】
2018503576.tif 000007
【図５】
2018503576.tif 000008
【図６】
2018503576.tif 000009
【図７】
2018503576.tif 000010
【図８】
2018503576.tif 000011
【図９】
2018503576.tif 000012
【図１０】
2018503576.tif 000013
【国際調査報告】
2018503576.tif 000014
2018503576.tif 000015
2018503576.tif 000016
2018503576.tif 000017
2018503576.tif 000018
2018503576.tif 000019